【事件の表示】
　特願２００７−１２６０３１「一時停止点を使用するデータリソースのアクセス」拒絶査定不服審判事件〔平成１９年１１月２２日出願公開、特開２００７−３０６５７０〕について、次のとおり審決する。
【結　論】
　本件審判の請求は、成り立たない。
【理　由】
第１　経緯 
１．手続 
　本願は、平成１９年５月１０日（パリ条約による優先権主張２００６年５月１２日、米国）の出願であって、手続の概要は以下のとおりである。 
 　 
　拒絶理由通知　　　　　　　　　：平成２４年　６月２７日（起案日） 
　手続補正　　　　　　　　　　　：平成２４年　９月１８日 
　拒絶査定　　　　　　　　　　　：平成２４年１０月　９日（起案日） 
　拒絶査定不服審判請求　　　　　：平成２５年　２月１８日 
　　 
２．査定 
　原査定の理由は、概略、以下のとおりである。 
　本願の請求項１に係る発明は、下記の刊行物１又は刊行物２に記載された発明に基いて当業者が容易に発明をすることができたものであるから、特許法第２９条第２項の規定により、特許を受けることができない。 
 　 
　　　　　　　　　記 
刊行物１：特開２００５−３１８４００号公報 
刊行物２：特開２００２−２８１５６９号公報 
  　
第２　本願発明 
　平成２４年９月１８日付け手続補正書の特許請求の範囲の請求項１には、以下のとおりの記載がある。
　 
　　　　　　　　　記（請求項１の記載） 
　複数のフレームからなりかつ各フレームがフレーム番号により識別される映像データを記憶する映像データ記憶手段と、
　前記映像データ記憶手段に記憶された映像データを再生する再生装置が当該映像データを再生しているときに、当該再生装置に当該映像データの再生の一時停止を指示するための一時停止ボタンと、
　前記再生装置に前記映像データの再生を指示するための再生ボタンと、
　フレーム番号を記憶するメモリと、
　（１）前記一時停止ボタンにより前記一時停止が指示された場合、前記一時停止が指示されたときに再生されている前記映像データのフレーム番号を、前記再生装置から取得し、当該取得されたフレーム番号を前記メモリに記憶し、（２）前記再生ボタンにより前記再生が指示された場合、前記メモリから前記フレーム番号を読み出し、当該読み出したフレーム番号を前記再生装置に送信することにより、前記再生装置が当該フレーム番号により識別されるフレームから前記映像データを再生するように前記再生装置を制御するプロセッサと、
　を備えたパーソナルドメインコントローラ。
　
　上記記載について検討する。
　上記記載によれば、「・・・映像データ記憶手段と」、「・・・一時停止ボタンと」、「・・・再生ボタンと」、「・・・メモリと」、「・・・プロセッサと」、「を備えたパーソナルドメインコントローラ」とあるから、「パーソナルドメインコントローラ」は、「・・・映像データ記憶手段」を備えている構成として記載されている。
　しかし、発明の詳細な説明に記載された「パーソナルドメインコントローラ」は、メモリ１１２を有するものの、上記メモリ１１２に記憶される情報は、「コンテンツの識別子と最新の位置」（【００１７】）等の記載しか無く、「複数のフレームからなりかつ各フレームがフレーム番号により識別される映像データを記憶する映像データ」を記憶しているとの記載はない。
　上記「映像データ」を記憶するのは、「パーソナルドメインコントローラ」を用いたシステムにおける「（ＤＶＲ等の）ホームメディアサーバ２２」（【００２７】）、等であることのみが記載されている。
　してみると、上記記載における、
「複数のフレームからなりかつ各フレームがフレーム番号により識別される映像データを記憶する映像データ記憶手段と、
　前記映像データ記憶手段に記憶された映像データを再生する再生装置が当該映像データを再生しているときに、当該再生装置に当該映像データの再生の一時停止を指示するための一時停止ボタンと」
　の記載は、
「複数のフレームからなりかつ各フレームがフレーム番号により識別される映像データを記憶する映像データ記憶手段に記憶された映像データを再生する再生装置が当該映像データを再生しているときに、当該再生装置に当該映像データの再生の一時停止を指示するための一時停止ボタンと」（・・・を備えたパーソナルドメインコントローラ）と捉えるべきであるといえるから、
　本願の請求項１に係る発明（以下、「本願発明」という。）は、下記に記載したとおりのものであると認定し、以下検討する。
　
　　　　　　　　　　記（本願発明）
　複数のフレームからなりかつ各フレームがフレーム番号により識別される映像データを記憶する映像データ記憶手段に記憶された映像データを再生する再生装置が当該映像データを再生しているときに、当該再生装置に当該映像データの再生の一時停止を指示するための一時停止ボタンと、
　前記再生装置に前記映像データの再生を指示するための再生ボタンと、
　フレーム番号を記憶するメモリと、
　（１）前記一時停止ボタンにより前記一時停止が指示された場合、前記一時停止が指示されたときに再生されている前記映像データのフレーム番号を、前記再生装置から取得し、当該取得されたフレーム番号を前記メモリに記憶し、（２）前記再生ボタンにより前記再生が指示された場合、前記メモリから前記フレーム番号を読み出し、当該読み出したフレーム番号を前記再生装置に送信することにより、前記再生装置が当該フレーム番号により識別されるフレームから前記映像データを再生するように前記再生装置を制御するプロセッサと、
　を備えたパーソナルドメインコントローラ。
　
第３　引用刊行物の記載  
　原査定の拒絶の理由に引用された刊行物である特開２００２−２８１５６９号公報（以下「刊行物１」という。）には、「リモートコントロールシステム」に関し、図面と共に次に掲げる事項が記載されている。 
　
【発明の詳細な説明】
【０００１】
【発明の属する技術分野】本発明は、例えば、リモートコントローラからの指令に基づいてネットワークに接続されたデータ処理装置に処理を行わせるリモートコントロールシステム、再生装置、情報蓄積装置、再生データ送信方法およびリモートコントロール装置に関するものである。
【０００２】
【従来の技術】従来、家庭電化製品などの電子装置の操作は、各装置ごとにリモートコントローラを操作して制御するようにしていて、各装置ごとの操作は各々独立していた。
【０００３】また、ＩＥＥＥ１３９４規格のシリアルインターフェースにより接続された装置同士の操作は連動することが可能になりつつある状況であるが、接続された装置間の一定の制御情報のみがやりとり可能な状況であった。
【０００４】また、特開平１０−２３０３０号公報には、情報を無線によって送受信する端末装置自体にリモートコントローラを付属して、利用者が部屋を変える毎に呼び設定動作を行う必要がなくなる通信システムおよびその方法が開示されている。
【０００５】
【発明が解決しようとする課題】しかし、従来、リモートコントローラを用いて装置を制御した際の操作内容や現在視聴中のテレビジョン受像機のチャンネル番号などの環境情報は装置間では継承されないため、同様の情報内容および操作内容でユーザーが使用する装置を変えた場合や、テレビジョン受像機において再度チャンネル選択を行う場合や、ビデオテープレコーダにおいてビデオテープを移動する場合などに操作性が低下するという不都合があった。
【０００６】また、特開平１０−２３０３０号公報記載の通信システムおよびその方法では、リモートコントローラにより情報を送受信する端末装置の経路を変えることのみが開示されているが、端末装置自体にリモートコントローラを付属する必要があり、リモートコントローラ自体を持ち歩いて環境情報を継承することができないという不都合があった。
【０００７】そこで、本発明は、かかる点に鑑みてなされたものであり、リモートコントローラを用いて装置を制御する際に、操作性を向上し環境情報を継承することができるリモートコントロールシステム、再生装置、情報蓄積装置、再生データ送信方法およびリモートコントロール装置を提供することを課題とする。
　
【００２１】
【発明の実施の形態】以下に、本発明の実施の形態を説明する。本実施の形態のリモートコントロールシステムは、相互に接続されるホームネットワーク内のＡＶ（Ａｕｄｉｏ  Ｖｉｄｅｏ）機器等を制御するためのＩＤ（Ｉｄｅｎｔｉｆｉｃａｔｉｏｎ）が付されたリモートコントローラを、ユーザーが各個人毎に保有し、リモートコントローラを用いて操作命令を発したユーザー個人を特定し、ネットワーク内で場所を移動してリモートコントローラを操作した場合も、移動前の環境を継承するものである。
【００２２】図１は、本実施の形態が適用されるリモートコントロールシステムのシステム構成例を示す図である。図１において、リモートコントロールシステムは、情報源となるビデオサーバ１と、ビデオサーバ１に接続されたネットワーク２と、ネットワーク２を介してビデオサーバ１に接続された第１のテレビジョン受像機３と、ネットワーク２を介してビデオサーバ１に接続された第２のテレビジョン受像機４と、第１のテレビジョン受像機３または第２のテレビジョン受像機４に対する操作指令によりビデオサーバ１から供給される情報を視聴可能とするリモートコントローラ５とを有して構成される。
【００２３】ここで、ビデオサーバ１は、第１のテレビジョン受像機３または第２のテレビジョン受像機４を介して、リモートコントローラ５からの指令を受信する受信手段と、指令を受信したときに、リモートコントローラ５の第１のテレビジョン受像機３または第２のテレビジョン受像機４に対する指令受信位置を認識する位置認識手段と、リモートコントローラ５および第１のテレビジョン受像機３または第２のテレビジョン受像機４の環境を認識する環境認識手段とをそれぞれ備えている。
【００２４】また、ビデオサーバ１は、複数のリモートコントローラ５に識別符号ＩＤを付すようにしてもよい。
【００２５】また、ビデオサーバ１は、環境認識手段して、リモートコントローラ５が第１のテレビジョン受像機３に対する指令受信位置から第２のテレビジョン受像機４に対する指令受信位置へ移動した後において、移動前の環境を継承する機能を有している。
【００２６】また、ビデオサーバ１は、モートコントローラ５が移動前の操作内容および第１のテレビジョン受像機３または第２のテレビジョン受像機４の環境を記憶する機能を有している。
【００２７】また、ビデオサーバ１は、リモートコントローラ５からの指令に基づいて第１のテレビジョン受像機３または第２のテレビジョン受像機４に対する処理を停止した際に、リモートコントローラ５が移動後の操作内容および第１のテレビジョン受像機３または第２のテレビジョン受像機４の環境を継続して記憶する機能を有している。
【００２８】また、ここでは説明の都合上、第１のテレビジョン受像機３は第１の部屋に設置され、第２のテレビジョン受像機４は第１の部屋におけるリモートコントローラ５からの指令が受信されない例として、第２の部屋に設置されているものとする。
【００２９】このように構成されたリモートコントロールシステムは、以下のような動作をする。図２は、動作を示す時系列チャートである。図２において、最も左の縦列がユーザーの動作を示し、次に左の縦列はリモートコントローラ５の動作を示し、次の中央の縦列は第１および第２のテレビジョン受像機３、４の動作を示し、最も右側の縦列はビデオサーバ１の動作を示すものである。ここで、第１および第２のテレビジョン受像機３、４の動作において、途中で、リモートコントローラ５からの指令の出力先が第１のテレビジョン受像機３から第２のテレビジョン受像機４へ変更されたことを示している。
【００３０】図２において、Ｔ１時点において、ユーザーが第１のテレビジョン受像機３に対して再生命令Ｃ１により、ビデオサーバ１内に記録されている映像情報の再生を指示すると、第１のテレビジョン受像機３は再生命令Ｃ１を受信して、ネットワーク２を介してビデオサーバ１に再生命令Ｃ１’を伝達する。
【００３１】Ｔ１’時点において、ビデオサーバ１は第１のテレビジョン受像機３からの再生命令Ｃ１’を受信したたため、第１の再生映像Ｖ１を第１のテレビジョン受像機３へ送信し、Ｔ１''時点において、第１のテレビジョン受像機３は第１の再生映像Ｖ１を再生して表示する。
【００３２】Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され、第１の再生映像Ｖ１の送信が停止される。このとき、ビデオサーバ１は、Ｔ２’時点で一時停止命令の発信元（リモートコントローラ５）と停止映像名、停止時間を記憶しておく。
【００３３】Ｔ３時点において、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動する。
【００３４】Ｔ４時点において、ユーザーが停止解除の操作のためにリモートコントローラ５により停止解除命令Ｃ３を第２のテレビジョン受像機４へ送信すると、停止解除命令Ｃ３’は第２のテレビジョン受像機４からネットワーク２を介してビデオサーバ１に伝達される。
【００３５】Ｔ４’時点において、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断することができる。
【００３６】Ｔ５時点において、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する。ここで、ビデオサーバ１は、一時停止命令の発信元（リモートコントローラ５）からの停止解除命令Ｃ３’が送信されてきた第２のテレビジョン受像機４へ停止時間からの第１の再生映像のつづきＶ２として再生を開始する。
【００３７】これにより、ユーザーは、リモートコントローラ５を持ち歩くことにより、場所に依存せずに映像情報を連続して視聴することが可能となる。
【００３８】なお、上述した例では、ビデオ再生の場合を示したため、ビデオサーバ１は、映像名と停止位置を記憶して継承するようにしたが、これに限らず、テレビジョン放送の受信機能を有するチューナからのチャンネル番号などの、ユーザーが選択可能な環境の継承を対象とするようにしても良い。
　
【００８３】次に、ローカルネットワーク上の特定のＵＲＬで示されるアドレスのサーバから供給される映像信号の再生について説明する。ユーザーは、リモートコントローラ３８からの特定のＵＲＬで示されるアドレスのサーバに対する映像信号の再生ボタンの操作によりネットワーク３０Ａの領域において、ターミナル１１に対して、特定のＵＲＬで示されるアドレスの第１のローカルサーバ３１に接続されたリムーバブルハードディスク３５に対する映像信号の再生命令を送信する。
【００８４】ネットワーク３０Ａ内で、ターミナル１１から特定のＵＲＬで示されるアドレスの第１のローカルサーバ３１に再生命令が伝達される。特定のＵＲＬで示されるアドレスの第１のローカルサーバ３１は再生命令により第１のローカルサーバ３１に接続されたリムーバブルハードディスク３５に記録された映像信号を再生する。特定のＵＲＬで示されるアドレスの第１のローカルサーバ３１で再生された再生映像信号は第１のローカルサーバ３１からターミナル１１を介してモニタ１１Ａに伝達され、モニタ１１Ａは再生映像信号による映像を表示する。
【００８５】これにより、ユーザーはネットワーク３０Ａの領域のターミナル１１に対する指令受信位置（例えば、第１の部屋）において、特定のＵＲＬで示されるアドレスの第１のローカルサーバ３１でリムーバブルハードディスク３５から再生された再生映像信号による映像を視聴することができる。
【００８６】ここで、ユーザーが、ネットワーク３０Ａの領域からネットワーク３０Ｂの領域へ移動することを考える。この場合、ユーザーはリモートコントローラ３８からの特定のＵＲＬで示されるアドレスの第１のローカルサーバ３１でリムーバブルハードディスク３５から再生された再生映像信号の再生の停止ボタン、および記憶ボタンの操作によりネットワーク３０Ａの第１のローカルサーバ３１に、停止時点で再生映像信号がローカルネット配信であることとローカルネット上のサーバのＵＲＬとが記録される。
【００８７】この第１のローカルサーバ３１における記録内容は、テーブル４０に示すように、ソース機器４１の欄に４５としてローカルネット配信であることを示す「ＵＲＬ  Ｌ（Ｌｏｃａｌ）」が記録され、ロケーション４２の欄に４８としてローカルネット上の第１のローカルサーバ３１に接続されたリムーバブルハードディスク３５のＵＲＬを示す「／／・・・／・・・／・・・」が記録される。
【００８８】ユーザーが、リモートコントローラ３８からの第１のローカルサーバ３１のアクセスボタンの操作により第１のローカルサーバ３１におけるテーブル４０に示す記録内容をリモートコントローラ３８に読み出して、リモートコントローラ３８と共にネットワーク３０Ａの領域からネットワーク３０Ｂの領域へ移動し、ネットワーク３０Ｂの領域において第２のローカルサーバ３２にテーブル４０に示す記録内容を記録する。
【００８９】または、これに限らず、ユーザーが、リモートコントローラ３８からの第１のローカルサーバ３１のアクセスボタンの操作により第１のローカルサーバ３１におけるテーブル４０に示す記録内容を読み出してインターネット３９を介してグローバルサーバ３６に記録し、リモートコントローラ３８と共にネットワーク３０Ａの領域からネットワーク３０Ｂの領域へ移動し、ネットワーク３０Ｂの領域においてグローバルサーバ３６に記録されたテーブル４０に示す記録内容を読み出して第２のローカルサーバ３２にテーブル４０に示す記録内容を記録するようにしてもよい。また、テーブル４０に示す記録内容をリモートコントローラ３８に記録してもよい。
【００９０】その後、ユーザーは、リモートコントローラ３８からの特定のＵＲＬで示されるアドレスの第１のローカルサーバ３１に対してリムーバブルハードディスク３５に記録された映像信号の再生ボタンの操作によりネットワーク３０Ｂの領域において、ターミナル２１に対して、特定のＵＲＬで示されるアドレスの第１のローカルサーバ３１に接続されたリムーバブルハードディスク３５の映像信号の再生命令を送信する。
【００９１】ネットワーク３０Ｂ内で、ターミナル２１から第２のローカルサーバ３２およびインターネット３９を介して特定のＵＲＬで示されるアドレスの第１のローカルサーバ３１に対してリムーバブルハードディスク３５に記録された映像信号の再生命令が伝達される。特定のＵＲＬで示されるアドレスのサーバは再生命令により映像信号を再生する。
【００９２】このとき、特定のＵＲＬで示されるアドレスのサーバは移動前にネットワーク３０Ａの第１のローカルサーバ３１に記録されたテーブル４０における、ソース機器４１の欄のローカルネット配信の「ＵＲＬ  Ｌ（Ｌｏｃａｌ）」４５について、ロケーション４２の欄のローカルネット上のサーバのＵＲＬの「／／・・・／・・・／・・・」４８に対応する映像信号のデータを再生する。
【００９３】特定のＵＲＬで示されるアドレスのサーバで再生された再生映像信号はインターネット３９および第２のローカルサーバ３２からターミナル２１を介してモニタ２１Ｂに伝達され、モニタ２１Ｂは再生映像信号による映像を表示する。
【００９４】これにより、ユーザーはネットワーク３０Ｂの領域のターミナル２１に対する指令受信位置（例えば、第３の部屋）において、特定のＵＲＬで示されるアドレスのサーバで再生された再生映像信号による映像を視聴することができる。
【００９５】なお、上述において、リモートコントローラ３８からの操作により、インターネットによる特定のＵＲＬで示されるアドレスのサーバに対する映像信号の再生、またはローカルネット上の特定のＵＲＬで示されるアドレスのサーバに対する映像信号の再生の際に、ローカルサーバ上にユーザーのチャンネル切替の情報や好んで視聴するチャンネル番号をテーブル４０に記録するようにしてもよい。
【００９６】また、図４に示す他のリモートコントロールシステムによれば、よりユーザーの嗜好を反映した情報の再生を行うことができる。
【００９７】なお、上述し図４に示した実施の形態では、ユーザーがリモートコントローラ３８と共にネットワーク３０Ａの領域からネットワーク３０Ｂの領域へ移動する場合について述べたが、これに限らず、ユーザーがリモートコントローラ３８と共にネットワーク３０Ｂの領域からネットワーク３０Ａの領域へ移動する場合についても同様に適用することがでることはいうまでもない。
　
【００９８】次に、リモートコントローラ３８からの命令の信号フォーマットや具体的な操作手順について説明する。図５は、送信コマンドフォーマット例および受信信号フォーマットを示す図である。図５Ａにおいて、送信コマンドフォーマット例５１は、制御コマンド５２と、ソース情報５３とを有して構成される。
【００９９】送信の場合、制御コマンド５２については、既存の家電製品の電子機器と同様に、テレビジョン受像機の場合は電源のオン／オフや音量調節、チャンネル指定等のためのコマンドにコードを割り当てて機器の制御に使用する。
【０１００】ソース情報５３が付加されない場合は、既存のリモートコントローラと同様に機器側に保存されたリジューム機能が動作して、以前の情報が有効となる。
【０１０１】図５Ｂにおいて、受信信号フォーマット例５４は、制御コマンド５５と、ソース情報５６とを有して構成される。
【０１０２】受信の場合、リモートコントローラ側から受け取った制御コマンド５５に応答して、機器からリモートコントローラが受信して記憶すべきコマンドをコードを割り当ててリモートコントローラ側で記憶する。
【０１０３】図６は、ソース情報を示す図である。図６において、ソース情報６１は、以下のように種別６２と対応するアドレス６３とを有して構成される。
【０１０４】図６において、例えば、種別６２のＶＴＲ６４−１に対してアドレス６３のテープ番号およびタイムコード６４−２と、種別６２のＨＤＤ６５−１に対してアドレス６３のドライブ、ファイル名およびタイムコード６５−２と、種別６２のインターネット（ＩＮＴＥＲＮＥＴ）６６−１に対してアドレス６３のＵＲＬアドレス６６−２と、種別６２の放送波６７−１に対してアドレス６３のチャンネル番号６７−２とが設けられる。
【０１０５】ソース情報６１については、制御コマンドに続いて、表示再生すべき情報のソースの種別６２と、状態を表すパラメータとしてのアドレス６３で構成され、ソースの種別６２とアドレス６３はペアで使用される。ソース情報が付加されていない場合は、機器側で保持しているリジューム機能が動作して、以前の情報が有効となる。
【０１０６】図７は、操作手順とフォーマット例を示す図である。リモートコントローラでは最後にアクセスしたソースの種別と、ソース種別毎に最終アクセスのアドレスとを以下のように記憶しておく。
【０１０７】図７Ａ、Ｂは電源オン時の操作手順とフォーマット例７１を示している。最終アクセスしたソース情報をリモートコントローラから送信し、機器はソース情報に基づいて入力ソースを選択してリジューム機能により機器側で保持する。
【０１０８】図７Ａは、最後にインターネット上のサーバから供給される映像を視聴していた場合で機器の電源をオンするときの操作手順とフォーマット例を示す。図７Ａにおいて、リモートコントローラでは、リモートコントローラからの制御コマンド７２として電源（送）７５と、ソース種別７３としてインターネット７６と、最終アクセスのアドレス７４として「ｈｔｔｐ：／／ｗｗｗ．ｙａｈｏｏ．ｃｏ．ｊｐ／」７７とを記憶する。
【０１０９】図７Ｂは、最後にローカルサーバ内のＨＤＤ（Ｈａｒｄ  Ｄｉｓｃ  Ｄｒｉｖｅ）に記録されているｍｐｅｇ（ｍｏｖｉｎｇ  ｐｉｃｔｕｒｅ  ｅｘｐｅｒｔｓ  ｇｒｏｕｐ）２ファイルの映像を視聴していた場合で機器の電源をオンするときの操作手順とフォーマット例を示す。
【０１１０】図７Ｂにおいて、リモートコントローラでは、リモートコントローラからの制御コマンド７２として電源（送）７８と、ソース種別７３としてＨＤＤ７９と、最終アクセスのアドレス７４として「Ｃ：￥ｍａｔｒｉｘ．ｍｐｅｇ２＝１：０１：２０（タイムコード）」８０とを記憶する。
【０１１１】図８は、他の操作手順とフォーマット例を示す図である。図８Ａ、図８Ｂ、図８Ｃは電源オフ時後に別の部屋で映像を視聴する場合の操作手順とフォーマット例８１を示している。
【０１１２】ローカルサーバのＨＤＤ内に記録された映像信号を再生した映像を視聴していて、ローカルサーバのＨＤＤに対して電源を切る場合、リモートコントローラから電源オフの制御コマンドを発信し、機器からの返信として現在視聴していたソース情報をローカルサーバからリモートコントローラに戻し、リモートコントローラはソース情報を記憶する。ユーザーは、リモートコントローラを持って別の部屋に移動し、電源オンを指示すると、先の続きから視聴を開始することができる。
【０１１３】図８Ａは、ユーザーが、リモートコントローラの電源ボタンを押したときにリモートコントローラから送出される制御コマンドである。
【０１１４】図８Ａにおいて、リモートコントローラから機器へ、制御コマンド８２として電源（送）８５が送出される。
【０１１５】図８Ｂは、機器からリモートコントローラへ現在のソース情報を送信した後に、機器が電源をオフにする場合の操作手順とフォーマット例である。
【０１１６】図８Ｂにおいて、機器からリモートコントローラへ、制御コマンド８２として転送（受）８６と、種別８３としてＨＤＤ８７と、アドレス８４として「Ｃ：￥ｍａｔｒｉｘ．ｍｐｅｇ２＝１：０１：２０（タイムコード）」８８が返信される。
【０１１７】図８Ｃは、ユーザーが、別の部屋に移動してテレビジョン受像機の電源をオンにしたときに、リモートコントローラに記憶している最終アクセスのソースに対してレジューム機能により再現して続きを視聴する場合の操作手順とフォーマット例である。
【０１１８】図８Ｃにおいて、リモートコントローラから機器へ、制御コマンド８２として電源オン（送）８８と、種別８３としてＨＤＤ８７と、アドレス８４として「Ｃ：￥ｍａｔｒｉｘ．ｍｐｅｇ２＝１：０１：２０（タイムコード）」８８が送信される。
　
第４　刊行物１に記載された発明（刊行物１発明）
　以上の刊行物１の記載からみて、刊行物１には、次の構成を有する発明が記載されている。
（ア）リモートコントロールシステム
　刊行物１の【０００１】、【０００５】、【００２１】の記載によれば、刊行物１には、装置（テレビジョン受像機や再生装置）を制御するリモートコントロールシステムであって、リモートコントローラを、ユーザーが各個人毎に保有し、リモートコントローラを用いて操作命令を発したユーザー個人を特定し、ネットワーク内で場所を移動してリモートコントローラを操作した場合も、移動前の環境を継承するリモートコントロールシステムに関する発明が開示されているといえる。
　
（イ）再生中断の操作
　刊行物１の【００２２】の記載によれば、リモートコントロールシステムは、情報源となるビデオサーバ１と、ビデオサーバ１に接続されたネットワーク２と、ネットワーク２を介してビデオサーバ１に接続された第１のテレビジョン受像機３と、ネットワーク２を介してビデオサーバ１に接続された第２のテレビジョン受像機４と、第１のテレビジョン受像機３または第２のテレビジョン受像機４に対する操作指令によりビデオサーバ１から供給される情報を視聴可能とするリモートコントローラ５とを有している。
　そして、【００３０】−【００３２】の記載によれば、
「図２において、Ｔ１時点において、ユーザーが第１のテレビジョン受像機３に対して再生命令Ｃ１により、ビデオサーバ１内に記録されている映像情報の再生を指示すると、第１のテレビジョン受像機３は再生命令Ｃ１を受信して、ネットワーク２を介してビデオサーバ１に再生命令Ｃ１’を伝達する。
　Ｔ１’時点において、ビデオサーバ１は第１のテレビジョン受像機３からの再生命令Ｃ１’を受信したたため、第１の再生映像Ｖ１を第１のテレビジョン受像機３へ送信し、Ｔ１''時点において、第１のテレビジョン受像機３は第１の再生映像Ｖ１を再生して表示する。
　Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され、第１の再生映像Ｖ１の送信が停止される。このとき、ビデオサーバ１は、Ｔ２’時点で一時停止命令の発信元（リモートコントローラ５）と停止映像名、停止時間を記憶しておく。」とあり、第１のテレビジョン受像機３が再生して表示する再生映像Ｖ１は、ビデオサーバ１内に記録されている映像情報に基づくものであるといえる。
　そして、図２を参酌すると、Ｔ２時点は、Ｔ１''時点の後であるから、Ｔ１''時点で再生が開始し、Ｔ１''時点の後の上記再生が継続しているとき（すなわち、第１のテレビジョン受像機３が第１の再生映像Ｖ１を再生して表示しているとき）、Ｔ２時点で一時停止命令Ｃ２を送信するものであることが理解できる。
　したがって、刊行物１には、
　「第１のテレビジョン受像機３が、ビデオサーバ１内に記録されている映像情報に基づく第１の再生映像Ｖ１を再生して表示しているとき、Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され」る構成が開示されているといえる。
　
（ウ）再生指示
　刊行物１の【００３０】の記載によれば、「Ｔ１時点において、ユーザーが第１のテレビジョン受像機３に対して再生命令Ｃ１により、ビデオサーバ１内に記録されている映像情報の再生を指示すると、第１のテレビジョン受像機３は再生命令Ｃ１を受信して、ネットワーク２を介してビデオサーバ１に再生命令Ｃ１’を伝達する」とある。
　また、図２を参酌すると、ユーザーが第１のテレビジョン受像機３に対して与える再生命令Ｃ１はリモコン１（リモートコントローラ５）の再生ボタンを操作することで、送信していることが理解できる。
　したがって、刊行物１のリモートコントローラ５は、ビデオサーバ１に映像情報の再生を指示するための再生ボタンを有している。　
　
（エ）停止時間等の記憶手段
　刊行物１の【００３２】には「Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され、第１の再生映像Ｖ１の送信が停止される。このとき、ビデオサーバ１は、Ｔ２’時点で一時停止命令の発信元（リモートコントローラ５）と停止映像名、停止時間を記憶しておく。」とあるから、ビデオサーバは、一時停止命令の発信元（リモートコントローラ５）と停止映像名、停止時間を記憶する記憶手段を有する構成が開示されている。
　
（オ）停止時間等の記憶動作
　刊行物１の【００３２】の記載を見ると、Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され、第１の再生映像Ｖ１の送信が停止される。このとき、ビデオサーバ１は、Ｔ２’時点で一時停止命令の発信元（リモートコントローラ５）と停止映像名、停止時間を記憶する構成が開示されている。
　上記一時停止の命令は、上記（イ）で検討した、一時停止の命令であるから、前記一時停止命令である。
　したがって、刊行物１には、第１のテレビジョン受像機３の位置で前記一時停止Ｃ２がリモートコントローラから送信されると、ビデオサーバの前記記憶手段に一時停止命令の発信元（リモートコントローラ５）と停止映像名、停止時間を記憶する構成が開示されている。
　
（カ）再生（再開）の指示
　刊行物１の【００３３】−【００３７】には、
「Ｔ３時点において、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動する。
　Ｔ４時点において、ユーザーが停止解除の操作のためにリモートコントローラ５により停止解除命令Ｃ３を第２のテレビジョン受像機４へ送信すると、停止解除命令Ｃ３’は第２のテレビジョン受像機４からネットワーク２を介してビデオサーバ１に伝達される。
　Ｔ４’時点において、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断することができる。
　Ｔ５時点において、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する。ここで、ビデオサーバ１は、一時停止命令の発信元（リモートコントローラ５）からの停止解除命令Ｃ３’が送信されてきた第２のテレビジョン受像機４へ停止時間からの第１の再生映像のつづきＶ２として再生を開始する。
　これにより、ユーザーは、リモートコントローラ５を持ち歩くことにより、場所に依存せずに映像情報を連続して視聴することが可能となる。」
の記載がある。
　すなわち、刊行物１には、（ユーザが、第１のテレビジョン受像機３に対する指令受信位置から、第２のテレビジョン受像機４に対する指令受信位置に移動した後）停止解除命令Ｃ３を第２のテレビジョン受像機４へ送信すると、停止解除命令Ｃ３’は第２のテレビジョン受像機４からネットワーク２を介してビデオサーバ１に伝達され、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断し、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する構成が開示されているといえる。
　
（キ）まとめ（引用発明）
　上記（ア）乃至（カ）によると、刊行物１には、下記の発明（以下「刊行物１発明」という。）が記載されていると認められる。
　
　装置（テレビジョン受像機や再生装置）を制御するリモートコントロールシステムであって、リモートコントローラを、ユーザーが各個人毎に保有し、リモートコントローラを用いて操作命令を発したユーザー個人を特定し、ネットワーク内で場所を移動してリモートコントローラを操作した場合も、移動前の環境を継承するリモートコントロールシステムに関する発明であって、
　第１のテレビジョン受像機３が、ビデオサーバ１内に記録されている映像情報に基づく第１の再生映像Ｖ１を再生して表示しているとき、Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され、
　リモートコントローラ５は、ビデオサーバ１に映像情報の再生を指示するための再生ボタンを有し、
　ビデオサーバは、一時停止命令の発信元（リモートコントローラ５）と停止映像名、停止時間を記憶する記憶手段を有し、
　第１のテレビジョン受像機３の位置で前記一時停止Ｃ２がリモートコントローラから送信されると、ビデオサーバーに一時停止命令の発信元（リモートコントローラ５）と停止映像名、停止時間を記憶し、
　（ユーザが、第１のテレビジョン受像機３に対する指令受信位置から、第２のテレビジョン受像機４に対する指令受信位置に移動した後）停止解除命令Ｃ３を第２のテレビジョン受像機４へ送信すると、停止解除命令Ｃ３’は第２のテレビジョン受像機４からネットワーク２を介してビデオサーバ１に伝達され、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断し、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する、
　リモートコントロールシステム。
　
第５　対比
　本願発明と刊行物１発明とを対比する。
　
（ア）「複数のフレームからなりかつ各フレームがフレーム番号により識別される映像データを記憶する映像データ記憶手段に記憶された映像データを再生する再生装置が当該映像データを再生しているときに、当該再生装置に当該映像データの再生の一時停止を指示するための一時停止ボタン」
　刊行物１発明のリモートコントロールシステムは、「第１のテレビジョン受像機３が、ビデオサーバ１内に記録されている映像情報に基づく第１の再生映像Ｖ１を再生して表示しているとき、Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され」る構成である。
　「ビデオサーバ１内に記憶されている映像情報」であるから、刊行物１発明のビデオサーバ１は映像情報記憶手段といえ、本願発明の映像データと刊行物１発明の映像情報は、ともにテレビに表示される映像を表示するためのデータである点で一致するから、刊行物１発明のビデオサーバ１は、映像データを記憶する映像データ記憶手段といえる。
　刊行物１発明は、ビデオサーバ１内に記録されている映像情報に基づく第１の再生映像Ｖ１を再生して表示しているとき、リモートコントローラ５により一時停止命令Ｃ２を送信すると、第１のテレビジョン受像機３からネットワーク２を介してビデオサーバ１に伝達される構成であるから、リモートコントローラ５は、映像データを再生する再生装置が当該映像データを再生しているときに、当該再生装置に、当該映像データの再生の一時停止を指示するための手段を有しているといえる。
　したがって、刊行物１発明のリモートコントローラは「映像データを記憶する映像データ記憶手段に記憶された映像データを再生する再生装置が当該映像データを再生しているときに、当該再生装置に当該映像データの再生の一時停止を指示する手段」を有している点で、本願発明のパーソナルドメインコントローラと相違がない。
　もっとも、本願発明の映像データは「複数のフレームからなりかつ各フレームがフレーム番号により識別される映像データ」であるのに、刊行物１発明の映像情報はそのような特定がなされていない点、および、本願発明の「一時停止を指示する」ための手段は「一時停止ボタン」であるのに対し、刊行物１発明はそのような特定がなされていない点で相違する。
　
（イ）「前記再生装置に前記映像データの再生を指示するための再生ボタン」
　本願発明の再生ボタンについて検討する。
　本願発明の再生ボタンは【００１４】に「ユーザは、録画されたテレビ番組等の特定の1つのマルチメディアコンテンツを開始する、または再開するために「再生」ボタン１１０等のパーソナルドメインコントローラ上のボタンを押す。」とあるから、マルチメディアコンテンツを開始する、または再開するためのボタンである。
　これに対して刊行物１発明のリモートコントロールシステムでは「リモートコントローラ５は、ビデオサーバ１に映像情報の再生を指示するための再生ボタンを有し」ている。
　刊行物１発明のビデオサーバ１が、本願発明の再生装置に相当することは、先に検討したとおりである。
　上記刊行物１発明の再生ボタンは、以下で検討するように「再開」（一時停止の解除）の際に操作する構成ではない。
　したがって、刊行物１発明のリモートコントローラは「前記再生装置に前記映像データの再生（開始）を指示するための再生ボタン」を有している点で、本願発明のパーソナルドメインコントローラと一致するといえる。
　もっとも、本願発明の再生ボタンは「前記再生装置に前記映像データの再生（開始・再開）を指示するための再生ボタン」であるのに対し、刊行物１発明のリモートコントローラの再生ボタンは、「前記再生装置に前記映像データの再生（開始）を指示するための再生ボタン」ではあるものの、「前記再生装置に前記映像データの再生（再開）を指示するための再生ボタン」ではない点で相違する。
　
（ウ）「フレーム番号を記憶するメモリ」
　刊行物１発明のリモートコントロールシステムでは「ビデオサーバは、一時停止命令の発信元（リモートコントローラ５）と停止映像名、停止時間を記憶する記憶手段を有し」ている。
　ビデオサーバが記憶する停止時間は、本願発明のフレーム番号と一時停止を指示した時点という点で共通している。
　もっとも、本願発明の記憶するメモリは、フレーム番号を記憶するメモリとを備えたパーソナルドメインコントローラであるから、パーソナルドメインコントローラが備えるものであるのに対し、刊行物１発明のメモリは、ビデオサーバが備えている点で相違する。
　
　以上まとめると、刊行物１発明のリモートコントロールシステムは、一時停止を指示した時点を記憶するメモリを備える点で本願発明と一致するといえる。
　もっとも、本願発明の一時停止を指示した時点はフレーム番号であるのに対し、刊行物１発明では停止時間である点、および、上記メモリを備えるのは、本願発明では、パーソナルドメインコントローラであるのに対し、刊行物１発明ではビデオサーバである点で相違する。
　
（エ）「（１）前記一時停止ボタンにより前記一時停止が指示された場合、前記一時停止が指示されたときに再生されている前記映像データのフレーム番号を、前記再生装置から取得し、当該取得されたフレーム番号を前記メモリに記憶し、（２）前記再生ボタンにより前記再生が指示された場合、前記メモリから前記フレーム番号を読み出し、当該読み出したフレーム番号を前記再生装置に送信することにより、前記再生装置が当該フレーム番号により識別されるフレームから前記映像データを再生するように前記再生装置を制御するプロセッサ」
　上記記載によれば、（１）「・・・記憶し」、（２）「・・・制御する」プロセッサとあるから、（パーソナルドメインコントローラの）プロセッサが、（１）「・・・記憶し」の処理と、（２）「制御する」の処理とを行っているといえる。
　したがって、以下では、（１）「・・・記憶し」の処理を行うプロセッサと、（２）「制御する」の処理を行うプロセッサとに分けて検討する。
　
（エ−１）「（１）前記一時停止ボタンにより前記一時停止が指示された場合、前記一時停止が指示されたときに再生されている前記映像データのフレーム番号を、前記再生装置から取得し、当該取得されたフレーム番号を前記メモリに記憶し（の処理を行うプロセッサ）」
　刊行物１発明のリモートコントロールシステムは「第１のテレビジョン受像機３の位置で前記一時停止Ｃ２がリモートコントローラから送信されると、ビデオサーバーに一時停止命令の発信元（リモートコントローラ５）と停止映像名、停止時間を記憶し」の構成を有している。
　刊行物１発明において、上記記憶がなされるのは、ビデオサーバであるから、記憶するための処理を行うための処理手段はビデオサーバに配置されていることは明らかである。
　刊行物１の一時停止Ｃ２がリモートコントローラから送信されるためには、リモートコントローラにより、上記（ア）で検討したように、一時停止指示手段により一時停止の指示がなされる必要があることは明らかであるから、刊行物１発明は「（リモートコントローラの）一時停止指示手段から、第１のテレビジョン受像機３の位置で前記一時停止が指示され」ているといえる。
　上記送信がなされると、刊行物１発明では、ビデオサーバーに一時停止命令の発信元（リモートコントローラ５）と停止映像名、停止時間を記憶おり、上記停止映像名、停止時間は、前記一時停止が指示されたときに再生されている映像の情報であって、刊行物１発明の映像の情報は、本願発明の映像データに相当することは先に検討したとおりであるから、刊行物１発明のリモートコントロールシステムは、前記一時停止が指示された場合、前記一時停止が指示されたときに再生されている前記映像データの一時停止を指示した時点を前記メモリに記憶しているといえる。
　もっとも、上記（ア）で検討したように、本願発明では、一時停止を指示する手段が前記一時停止ボタンであるのに対し、刊行物１発明はそのような特定がなされていない点、
上記（ウ）で検討したように、本願発明では、前記映像データのフレーム番号を記憶するのに対し、刊行物１発明では、刊行物１発明では停止時間である点、
上記（ウ）で検討したように、上記メモリを備えるのは、本願発明では、パーソナルドメインコントローラであるのに対し、刊行物１発明ではビデオサーバであり、そのため、本願発明では、前記映像データのフレーム番号を、前記再生装置から取得し、の構成を有し、また、（前記再生装置から取得し、当該取得されたフレーム番号を前記メモリに記憶しの）処理を行うプロセッサは、本願発明では、パーソナルドメインコントローラが有するのに対し、刊行物１発明では、上記処理手段（「記憶しの」処理を行うプロセッサ）がビデオサーバに配置されている点、で相違する。
　
（エ−２）「（２）前記再生ボタンにより前記再生が指示された場合、前記メモリから前記フレーム番号を読み出し、当該読み出したフレーム番号を前記再生装置に送信することにより、前記再生装置が当該フレーム番号により識別されるフレームから前記映像データを再生するように前記再生装置を制御するプロセッサ」
　上記構成の「当該読み出したフレーム番号を前記再生装置に送信することにより」の記載について検討する。
　上記記載における、前記再生装置は「映像データを再生する再生装置が当該映像データを再生しているときに、当該再生装置に当該映像データの再生の一時停止を指示するための一時停止ボタン」の再生装置、すなわち、一時停止ボタンにより一時停止を指示した再生装置といえる。
　本願発明の解決しようとする課題、目的は「ユーザはある特定の点でコンテンツストリームを停止、または一時停止する。ユーザが次に出張旅行にでかける場合、ユーザはユーザのホテルの部屋からその番組にアクセスする可能性がある。そのときユーザは番組を全体として再始動しなければならないか、あるいはコンテンツストリーム内の停止された位置を推定しなければならないであろう。」（【０００３】）、「再生シナリオの例では、家庭で録画したテレビ番組を視聴するユーザを想定する。ユーザは番組の途中で一時停止してから、出張に出掛ける。出張中、ユーザは携帯電話またはＰＤＡ等の携帯用の電子機器を持っていく。目的地のホテルに到着すると、ユーザはホテルの部屋で、携帯用電子機器内に記憶されていた一時停止点にアクセスすることで、自分が家にいるときに一時停止した点で該番組の視聴を再開できる。」（【０００６】）、とあるように、再生を一時停止した場所と、再生を再開する場所が異なることが前提である。
　以上のことからみて、本願発明の「当該読み出したフレーム番号を前記再生装置に送信することにより」の意味するところは、仮に再生を一時停止した場所と、再生を再開する場所が異なる場合であっても、パーソナルドメインコントローラは、読み出したフレーム番号を、一時停止を指示した再生装置に送信することをいうものと捉えるべきであるといえ、以下では、そのような構成であるとして検討する。
　また、上記本願発明の構成において、「前記再生装置が当該フレーム番号により識別されるフレームから前記映像データを再生するように前記再生装置を制御するプロセッサ」と記載されているが、上記プロセッサは、発明の詳細な説明の記載を参酌すると、「再生装置を制御する」のではなく、パーソナルドメインコントローラに設けられ、パーソナルドメインコントローラが「・・・フレーム番号を前記再生装置に送信する」ように制御することにより、「前記再生装置が当該フレーム番号により識別されるフレームから前記映像データを再生するように＜再生装置の制御装置が＞前記再生装置を制御する」構成であることは明白であり、したがって、以下では、上記プロセッサは『前記再生ボタンにより前記再生が指示された場合、（パーソナルドメインコントローラを）「前記メモリから前記フレーム番号を読み出し、当該読み出したフレーム番号を前記再生装置に送信する」ように制御し、（パーソナルドメインコントローラから）上記送信が行われることで、「前記再生装置が当該フレーム番号により識別されるフレームから前記映像データを再生するように＜再生装置の制御装置が＞前記再生装置を制御する」プロセッサ』であるものとして検討する。
　刊行物１発明のリモートコントロールシステムは、「（ユーザが、第１のテレビジョン受像機３に対する指令受信位置から、第２のテレビジョン受像機４に対する指令受信位置に移動した後）停止解除命令Ｃ３を第２のテレビジョン受像機４へ送信すると、停止解除命令Ｃ３’は第２のテレビジョン受像機４からネットワーク２を介してビデオサーバ１に伝達され、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断し、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する」構成を有している。
　刊行物１発明では、「（ユーザが、第１のテレビジョン受像機３に対する指令受信位置から、第２のテレビジョン受像機４に対する指令受信位置に移動した後）停止解除命令Ｃ３を第２のテレビジョン受像機４へ送信すると、停止解除命令Ｃ３’は第２のテレビジョン受像機４からネットワーク２を介してビデオサーバ１に伝達され」るのであるから、再生を一時停止した場所（第１のテレビジョン受像機３に対する指令受信位置）と、再生を再開する場所（第２のテレビジョン受像機４に対する指令受信位置）は異なっている。
　そして、リモートコントローラから指示された停止解除の指示は、一時停止の指示が送信されたビデオサーバに送信されるから、刊行物１発明は、一時停止した場所と、再生を再開する場所が異なる場合であっても、リモートコントローラは、停止解除の指示を前記ビデオサーバに送信しているといえ、本願発明の「前記再生が指示された場合」と相違がない。
　もっとも、以下（オ）で検討するように、本願発明の上記再生の指示を行う再生指示手段は、パーソナルドメインコントローラであるのに対し、刊行物１発明ではリモートコントローラである点、および、
　本願発明の「前記再生が指示された場合」は「前記再生ボタンにより前記再生が指示された場合」であるのに対し、刊行物１発明では停止解除命令をリモコン（再生指示手段）のどのボタンで指示するか特定されていない点で相違する。
　そして、刊行物１発明は、上記停止解除の指示がなされると、ビデオサーバは、「Ｔ２’時点で記憶しておいた一時停止命令の発信元（リモートコントローラ５）から、第２のテレビジョン受像機４を介して停止解除命令Ｃ３’が送信されてきたことを認識し、・・・Ｔ２’時点で停止していた停止映像名と、停止時間からの第１の再生映像のつづきＶ２を第２のテレビジョン受像機４へ送信」するのであるから、ビデオサーバは、Ｔ２’時点で記憶したメモリ（すなわち前記メモリ）から、停止映像名と、停止時間（一時停止を指示した時点）を読み出しているといえ、読み出した停止時間（一時停止を指示した時点）から前記映像データを再生するようにビデオサーバを制御しているといえる。
　刊行物１発明のビデオサーバが、本願発明の再生装置といえることは先に検討したとおりであるから、刊行物１発明は、『前記再生が指示された場合、再生指示手段（リモートコントローラ／パーソナルドメインコントローラ）は、再生指示手段（リモートコントローラ／パーソナルドメインコントローラ）から、送信が行われるように処理をし、再生指示手段（リモートコントローラ／パーソナルドメインコントローラ）から送信が行われることで、「映像データの一時停止を指示した時点を記憶したメモリから、映像データの一時停止を指示した時点を読み出し、映像データの一時停止を指示した時点から前記映像データを再生するように＜再生装置の制御装置が＞前記再生装置を制御する」処理部を有している』点で、本願発明と対応する。
　もっとも、本願発明の上記再生の指示を行う再生指示手段は、パーソナルドメインコントローラであるのに対し、刊行物１発明ではリモートコントローラである点、
　本願発明の「前記再生が指示された場合」は「前記再生ボタンにより前記再生が指示された場合」であるのに対し、刊行物１発明では停止解除命令をリモコン（再生指示手段）のどのボタンで指示するか特定されていない点、
　本願発明では、「映像データの一時停止を指示した時点」構成が、「当該（映像データの一時停止を指示した）フレーム番号により識別されるフレーム」であるのに対し、刊行物１発明ではフレームと特定されていない点で相違し、さらに、
　本願発明では、映像データの一時停止を指示した時点を記憶するメモリがパーソナルドメインコントローラにあるのに対し、刊行物１発明ではビデオサーバに該メモリがあることから、
　本願発明では、プロセッサは『（パーソナルドメインコントローラを）「映像データの一時停止を指示した時点を記憶したメモリから一時停止を指示した時点を読み出し、当該読み出した一時停止を指示した時点を前記再生装置に送信する」ように制御し』ているのに対し、刊行物１発明では、リモートコントローラの処理部は、再生開始の指示を送信するような処理を行っているのみであり、また、
　本願発明では、（上記送信が行われることで）「前記再生装置が当該一時停止を指示した時点から前記映像データを再生するように＜再生装置の制御装置が＞前記再生装置を制御する」のに対し、刊行物１発明では、（再生開始の指示が送信されることで）「ビデオサーバは、Ｔ２’時点で記憶したメモリ（すなわち一時停止を指示した時点を記憶したメモリ）から、停止映像名と、停止時間（一時停止を指示した時点）を読み出し、読み出した停止時間（一時停止を指示した時点）から前記映像データを再生するようにビデオサーバを制御」している点、
で相違している。
　
（オ）パーソナルドメインコントローラ
　本願発明のパーソナルドメインコントローラとは、発明の詳細な説明を参酌すると、
【０００７】に「考察の目的のため、携帯用電子機器は、本明細書ではその形式に関係なく、パーソナルドメインコントローラと呼ぶ。」
とあるから、携帯用電子機器であるといえ、また、
【０００８】に「再生装置にではなく携帯用電子機器に一時停止点を記憶すると、複数の家族が録画された番組を異なる時点で一時停止し、その後再開できる。例えば、家族のうち一人が、他の家族がいないときに番組を視聴し、寝る前に番組を一時停止し、再生装置にではなくパーソナルドメインコントローラの中に一時停止点を記憶させることができる。別の家族は、一人目の家族のその番組の一時停止点に影響を及ぼさずに番組を視聴し、一時停止し、再開できる。一人目の家族は、後に番組の視聴を再開すると決定したときに自分のパーソナルドメインコントローラから一時停止点にアクセスすることによって番組の残りを視聴し続ける。」
とあるから、携帯用電子機器であって、携帯用電子機器に一時停止点を記憶することで、自分のパーソナルドメインコントローラから一時停止点にアクセスすることができ、一時停止し、その後再開するとき、複数の家族が他の家族の影響を受けずに異なる時点で再開できるものとえいる。
　刊行物１発明のリモートコントローラは、発明の詳細な説明を参酌すると、以下のとおり記載されている。
「本実施の形態のリモートコントロールシステムは、相互に接続されるホームネットワーク内のＡＶ（Ａｕｄｉｏ  Ｖｉｄｅｏ）機器等を制御するためのＩＤ（Ｉｄｅｎｔｉｆｉｃａｔｉｏｎ）が付されたリモートコントローラを、ユーザーが各個人毎に保有し、リモートコントローラを用いて操作命令を発したユーザー個人を特定し、ネットワーク内で場所を移動してリモートコントローラを操作した場合も、移動前の環境を継承するものである。」（【００２１】）
「また、ビデオサーバ１は、複数のリモートコントローラ５に識別符号ＩＤを付すようにしてもよい。」（【００２４】）
「一時停止命令Ｃ２’は第１のテレビジョン受像機３からネットワーク２を介してビデオサーバ１に伝達され、第１の再生映像Ｖ１の送信が停止される。このとき、ビデオサーバ１は、Ｔ２’時点で一時停止命令の発信元（リモートコントローラ５）と停止映像名、停止時間を記憶しておく。」（【００３２】）
「Ｔ４時点において、ユーザーが停止解除の操作のためにリモートコントローラ５により停止解除命令Ｃ３を第２のテレビジョン受像機４へ送信すると、停止解除命令Ｃ３’は第２のテレビジョン受像機４からネットワーク２を介してビデオサーバ１に伝達される。
　Ｔ４’時点において、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断することができる。
　Ｔ５時点において、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する。ここで、ビデオサーバ１は、一時停止命令の発信元（リモートコントローラ５）からの停止解除命令Ｃ３’が送信されてきた第２のテレビジョン受像機４へ停止時間からの第１の再生映像のつづきＶ２として再生を開始する。」（【００３４】−【００３６】）
　リモートコントローラは、通常操作者が持ち運んで利用するものであるから、携帯用電子機器といえる。
　また、「リモートコントローラを、ユーザーが各個人毎に保有」するものであるから、自分のリモートコントローラであるといえる。
　さらに、「複数のリモートコントローラ５に識別符号ＩＤを付すようにしてもよ」く、「ビデオサーバ１は、Ｔ２’時点で一時停止命令の発信元（リモートコントローラ５）と停止映像名、停止時間を記憶し」、「Ｔ４’時点において、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、」、「ビデオサーバ１は、一時停止命令の発信元（リモートコントローラ５）からの停止解除命令Ｃ３’が送信されてきた第２のテレビジョン受像機４へ停止時間からの第１の再生映像のつづきＶ２として再生を開始する。」
から、刊行物１発明のリモートコントローラは、識別符号ＩＤが付与され、ビデオサーバが一時停止命令の発信元等（発信元（識別符号ＩＤ）、停止映像名、停止時間）を記憶しておくことで、一時停止しその後再開するとき、複数のユーザが他のユーザの影響を受けずに、各ユーザごとに異なる時点で再開できるリモートコントロールシステムにおけるリモートコントローラといえる。
　したがって、本願発明のパーソナルドメインコントローラと、刊行物１発明のリモートコントローラとは、携帯用電子機器であって、当該電子機器で、ビデオの一時停止や再開の指示を行うことで、一時停止しその後再開するとき、複数のユーザが他のユーザの影響を受けずに、各ユーザごとに異なる時点で再開できる点で相違がない。
　もっとも、本願発明の携帯用電子機器は、当該電子機器が記憶部を有し、当該記憶部に一時停止した時点を記憶することで、複数のユーザが他のユーザの影響を受けずに、各ユーザごとに異なる時点で再開できるパーソナルドメインコントローラであるのに対し、刊行物１発明の携帯用電子機器は、識別符号ＩＤが付与され、ビデオサーバが一時停止命令の発信元等（識別符号ＩＤ、停止映像名、停止時間）を記憶することで、複数のユーザが他のユーザの影響を受けずに、各ユーザごとに異なる時点で再開できるリモートコントロールシステムにおけるリモートコントローラである点で相違する。
　
（カ）まとめ（一致点・相違点）
　以上まとめると、本願発明と引用発明とは、以下の一致点で一致し相違点で相違する。
　
一致点
　映像データを記憶する映像データ記憶手段に記憶された映像データを再生する再生装置が当該映像データを再生しているときに、当該再生装置に当該映像データの再生の一時停止を指示する手段と、
　前記再生装置に前記映像データの再生（開始）を指示するための再生ボタンと、
　前記一時停止が指示された場合、前記一時停止が指示されたときに再生されている前記映像データの一時停止を指示した時点をメモリに記憶し、
　前記再生が指示された場合、再生指示手段（リモートコントローラ／パーソナルドメインコントローラ）は、再生指示手段（リモートコントローラ／パーソナルドメインコントローラ）から、送信が行われるように処理をし、再生指示手段（リモートコントローラ／パーソナルドメインコントローラ）から送信が行われることで、「映像データの一時停止を指示した時点を記憶したメモリから、映像データの一時停止を指示した時点を読み出し、映像データの一時停止を指示した時点から前記映像データを再生するように＜再生装置の制御装置が＞前記再生装置を制御する」処理部と、
　を備えた、当該携帯用電子機器で、ビデオの一時停止や再開の指示を行うことで、一時停止しその後再開するとき、複数のユーザが他のユーザの影響を受けずに、各ユーザごとに異なる時点で再開できる携帯用電子機器。
　　
相違点
（相違点１）
　本願発明の映像データは「複数のフレームからなりかつ各フレームがフレーム番号により識別される映像データ」であるのに、刊行物１発明の映像情報はそのような特定がなされていない点。
　
（相違点２）
　本願発明の「一時停止を指示する」ための手段は「一時停止ボタン」であるのに対し、刊行物１発明はそのような特定がなされていない点。
　
（相違点３）
　本願発明の再生ボタンは「前記再生装置に前記映像データの再生（開始・再開）を指示するための再生ボタン」であるのに対し、刊行物１発明のリモートコントローラの再生ボタンは、「前記再生装置に前記映像データの再生（開始）を指示するための再生ボタン」ではあるものの、「前記再生装置に前記映像データの再生（再開）を指示するための再生ボタン」ではない点。
　
（相違点４）
　本願発明の一時停止を指示した時点はフレーム番号であるのに対し、刊行物１発明では停止時間である点。
　
（相違点５）
　上記（映像データの一時停止を指示した時点を記憶する）メモリを備えるのは、本願発明では、パーソナルドメインコントローラであるのに対し、刊行物１発明ではビデオサーバである点。
　
（相違点６）
　上記（映像データの一時停止を指示した時点を記憶する）メモリを備えるのは、本願発明では、パーソナルドメインコントローラであるのに対し、刊行物１発明ではビデオサーバであり、そのため、本願発明では、前記映像データのフレーム番号を、前記再生装置から取得し、の構成を有し、また、（前記再生装置から取得し、当該取得されたフレーム番号を前記メモリに記憶しの）処理を行うプロセッサは、本願発明では、パーソナルドメインコントローラが有するのに対し、刊行物１発明では、上記処理手段（「記憶しの」処理を行うプロセッサ）がビデオサーバに配置されている点。
　
（相違点７）
　本願発明の「前記再生が指示された場合」は「前記再生ボタンにより前記再生が指示された場合」であるのに対し、刊行物１発明では停止解除命令をリモコン（再生指示手段）のどのボタンで指示するか特定されていない点。
　
（相違点８）
　本願発明では、「映像データの一時停止を指示した時点」構成が、「当該（映像データの一時停止を指示した）フレーム番号により識別されるフレーム」であるのに対し、刊行物１発明ではフレームと特定されていない点。
　
（相違点９）
　本願発明では、映像データの一時停止を指示した時点を記憶するメモリがパーソナルドメインコントローラにあるのに対し、刊行物１発明ではビデオサーバに該メモリがあることから、
　本願発明では、プロセッサは『（パーソナルドメインコントローラを）「映像データの一時停止を指示した時点を記憶したメモリから一時停止を指示した時点を読み出し、当該読み出した一時停止を指示した時点を前記再生装置に送信する」ように制御し』ているのに対し、刊行物１発明では、リモートコントローラの処理部は、再生開始の指示を送信するような処理を行っているのみであり、また、
　本願発明では、（上記送信が行われることで）「前記再生装置が当該一時停止を指示した時点から前記映像データを再生するように＜再生装置の制御装置が＞前記再生装置を制御する」のに対し、刊行物１発明では、（再生開始の指示が送信されることで）「ビデオサーバは、Ｔ２’時点で記憶したメモリ（すなわち一時停止を指示した時点を記憶したメモリ）から、停止映像名と、停止時間（一時停止を指示した時点）を読み出し、読み出した停止時間（一時停止を指示した時点）から前記映像データを再生するようにビデオサーバを制御」している点。
　
（相違点１０）
　本願発明の携帯用電子機器は、当該電子機器が記憶部を有し、当該記憶部に一時停止した時点を記憶することで、複数のユーザが他のユーザの影響を受けずに、各ユーザごとに異なる時点で再開できるパーソナルドメインコントローラであるのに対し、刊行物１発明の携帯用電子機器は、識別符号ＩＤが付与され、ビデオサーバが一時停止命令の発信元等（識別符号ＩＤ、停止映像名、停止時間）を記憶することで、複数のユーザが他のユーザの影響を受けずに、各ユーザごとに異なる時点で再開できるリモートコントロールシステムにおけるリモートコントローラである点。
　
第６　相違点についての判断
（ア）相違点１、相違点４、相違点８について
　上記相違点は、結局、本願発明では、映像データが、フレーム番号により識別される映像データであることが特定されることで、当該映像データの停止位置を上記フレーム番号で識別し、上記停止位置から再生を開始するためフレーム番号をメモリに記憶する構成であるのに対し、刊行物１発明では、映像データがフレーム番号により識別される映像データであることが特定されず、したがって、当該映像データの停止位置を停止時間で識別し、上記停止位置から再生を再開するため停止時間をメモリに記憶する構成となる点で相違しているといえる。
　通常映像データ（動画）は、１／３０秒、あるいは１／６０秒の短時間で、静止画を連続的に表示することで、動画として表示していることは、本願出願前技術常識であり、上記１／３０秒、あるいは１／６０秒の間隔で表示される静止画をフレーム（画像）と称し、映像データが、複数のフレームからなりかつ各フレームがフレーム番号により識別される映像データであることも技術常識である。
　そして、各フレーム（の画像）は、上記のように１／３０秒、あるいは１／６０秒の間隔で表示される画像であることから、動画を表示するときのある時間軸上の位置を特定する単位となることは、当業者にはよく知られたことであり、再生を停止した時点のような、動画中の時間軸上の位置を、フレーム番号で特定することは、当業者が普通に採用する慣用手段であることは技術常識である。
　したがって、刊行物１発明にふれた当業者であれば、刊行物１発明の動画データが、複数のフレームからなりかつ各フレームがフレーム番号により識別される映像データであり、刊行物１発明の停止時間を、フレーム番号で識別しようとすることは、当業者であれば、普通に想起し得たことであり、上記停止時間をフレーム番号で識別すれば、停止時間を記憶するときフレーム番号を記憶することは当たり前のことであるから、刊行物１発明において、上記相違点１、相違点４、相違点７、相違点９の構成を採用することは、当業者が容易になし得たことである。
　
（イ）相違点２、相違点３、相違点７について
　上記相違点は、本願発明では、再生開始及び再生再開の指示を再生ボタンで行い、再生の一時停止を一時停止ボタンで行うことを特定しているのに対し、刊行物１発明では、再生開始は再生ボタンで行うことが特定され、再生再開、再生停止のそれぞれの指示は、そのような指示を行ってはいるものの、上記指示をどのようなボタンに割り当てているか特定されていない点で相違するというものである。
　録画された映像を再生する再生装置において、再生の指示、一時停止の指示、再生の再開の指示を行うため、上記指示を再生装置に指示する指示ボタンを有することは極めて普通の構成である。
　上記指示のためのボタンを設ける際、指示の内容と指示ボタンとの関係（対応）については、本願出願前様々な態様で実現されていることは、当業者によく知られたことであり、上記態様の一つとして、再生の開始及び再生の再開を一つの指示ボタンで行い、再生の一時停止の指示を一時停止ボタンで行うことは、本願出願前普通に採用されていたことであるから、刊行物１発明において、再生開始、再生再開を再生ボタンで行い、一時停止を一時停止ボタンで行うようにすることは、当業者が容易になし得たことである。
　
（ウ）相違点５、相違点６、相違点９、相違点１０について
　上記相違点は、結局、本願発明では、携帯用電子機器（パーソナルドメインコントローラ）が、映像データの一時停止を指示した時点を記憶するメモリを有し、上記時点を携帯用電子機器が記憶するのに対し、刊行物１発明では、ビデオサーバ（記録再生装置）が映像データの一時停止を指示した時点を記憶するメモリを有し、上記時点をビデオサーバが記録する点で相違することから、上記各相違点が生じているといえる。
　刊行物１には、他の実施例に、以下のとおりの記載がある。
　
（【００８３】−【００９７】に記載された実施例）
　上記段落の実施例は、概略、「ローカルネットワーク上の特定のＵＲＬで示されるアドレスのサーバから供給される映像信号の再生を、映像信号の再生ボタンの操作によりネットワーク３０Ａの領域において、ターミナル１１に対して、特定のＵＲＬで示されるアドレスの第１のローカルサーバ３１に接続されたリムーバブルハードディスク３５に対する映像信号の再生命令を送信することで行うものであって、ネットワーク３０Ａの領域のターミナル１１に対する指令受信位置（例えば、第１の部屋）において、特定のＵＲＬで示されるアドレスの第１のローカルサーバ３１でリムーバブルハードディスク３５から再生された再生映像信号による映像を視聴しているとき、ネットワーク３０Ａの領域からネットワーク３０Ｂの領域へ移動する場合、ネットワーク３０Ａの第１のローカルサーバ３１に、停止時点で再生映像信号がローカルネット配信であることとローカルネット上のサーバのＵＲＬとが記録され、ネットワーク３０Ｂの領域（例えば、第２の部屋）において、ターミナル２１に対して、特定のＵＲＬで示されるアドレスの第１のローカルサーバ３１に接続されたリムーバブルハードディスク３５の映像信号の再生命令を送信し、移動前にネットワーク３０Ａの第１のローカルサーバ３１に記録されたテーブル４０における、ソース機器４１の欄のローカルネット配信の「ＵＲＬ  Ｌ（Ｌｏｃａｌ）」４５について、ロケーション４２の欄のローカルネット上のサーバのＵＲＬの「／／・・・／・・・／・・・」４８に対応する映像信号のデータを再生し、モニタ２１Ｂに伝達され、モニタ２１Ｂは再生映像信号による映像を表示する。」構成であって、上記「ローカルサーバ３１に、停止時点で再生映像信号がローカルネット配信であることとローカルネット上のサーバのＵＲＬとが記録され」る記録内容は、テーブル４０に示すものであり、上記ローカルサーバに記録することに代えて、「また、テーブル４０に示す記録内容をリモートコントローラ３８に記録してもよい。」技術思想が開示されている。
　そして、ローカルサーバから供給される映像を最後に視聴していたとき、電源オフ時後に別の部屋で映像を視聴する場合の具体的なやり方として、【０１１１】−【０１１８】に「ローカルサーバのＨＤＤ内に記録された映像信号を再生した映像を視聴していて、ローカルサーバのＨＤＤに対して電源を切る場合、リモートコントローラから電源オフの制御コマンドを発信し、機器からの返信として現在視聴していたソース情報をローカルサーバからリモートコントローラに戻し、リモートコントローラはソース情報を記憶する・・・、ユーザーが、別の部屋に移動してテレビジョン受像機の電源をオンにしたときに、リモートコントローラに記憶している最終アクセスのソースに対してレジューム機能により再現して続きを視聴する場合の操作手順とフォーマット例である。・・・リモートコントローラから機器へ、制御コマンド８２として電源オン（送）８８と、種別８３としてＨＤＤ８７と、アドレス８４として「Ｃ：￥ｍａｔｒｉｘ．ｍｐｅｇ２＝１：０１：２０（タイムコード）」８８が送信される。」とあるから、リモコンに現在視聴していたソース情報（ソースが記憶された場所）に加えて、視聴を中断したタイムコードを記憶することで、続きを視聴する技術思想が開示されているといえる。
　すなわち、刊行物１には、第１の部屋から第２の部屋に移動するとき、第１の部屋で視聴していた映像を、その続きから第２の部屋で視聴することを実現するための構成として、サーバに、上記映像が記録されているアドレス、および、上記視聴を中断した時点を記憶することに代えて、リモコンに上記アドレス、及び時点を記録することで、上記第１の部屋で視聴していた映像を、その続きから第２の部屋で視聴することが可能である技術思想が開示されているといえる。
　刊行物１発明は、「これにより、ユーザーは、リモートコントローラ５を持ち歩くことにより、場所に依存せずに映像情報を連続して視聴することが可能となる」（【００３７】）ことを目的としているといえ、上記他の実施例の具体例も、第１の部屋で視聴していた映像を、その続きから第２の部屋で視聴することが可能である（すなわち、場所に依存せずに映像情報を連続して視聴することが可能）とすることを目的としており、刊行物１発明に、上記他の実施例に記載された技術思想を適用し、刊行物１発明の、ビデオサーバが、リモートコントローラのＩＤ、映像データの一時停止を指示した時点等を記憶する構成を、リモートコントローラが映像データの一時停止を指示した時点を記憶する構成とすることは、当業者が容易になしえたことであるといえる。
　そして、リモートコントローラが映像データの一時停止を指示した時点を記憶する構成とすれば、【０１１２】−【０１１８】にあるように、リモートコントローラから、視聴中に電源を切る（すなわち、再生の停止を指示する）と、ローカルサーバから現在視聴していたソース情報（停止を指示した時点のタイムコードを含む。）をリモートコントローラに返信し、別の部屋に移動して、テレビジョン受像機の電源をオンしたとき（すなわち、再生の開始を指示したとき）、リモートコントローラから機器へアドレスとして、タイムコードを送信するように制御する構成となることは明らかであるから、刊行物１発明のサーバに一時停止を指示した時点を記憶することに代えて、リモートコントローラに一時停止した時点を記憶する構成を採用し、相違点５、相違点８、相違点１０、相違点１１の構成とすることは、当業者が容易になし得たことであるといえる。
　
（エ）効果等について
　以上のように、上記相違点は、当業者が容易に想到し得たものと認められ、本願発明全体としてみても格別のものはなく、その作用効果も、上記構成の採用に伴って当然に予測される程度のものにすぎず、格別顕著なものがあるとは認められない。
　
第７　まとめ
 以上のとおりであるから、本願の請求項１に係る発明は、本願の出願前に日本国内で頒布された刊行物である上記刊行物１に記載された発明に基づいて当業者が容易に発明をすることができたものであり、したがって特許法２９条第２項の規定により特許を受けることができない。 
 　
　よって、結論のとおり審決する。